【手続補正書】
【提出日】平成16年3月30日(2004.3.30)
【手続補正１】
【補正対象書類名】特許請求の範囲
【補正対象項目名】全文
【補正方法】変更
【補正の内容】
【特許請求の範囲】
【請求項１】
ユーザと関連した個人が関心を持つユーザ情報を取得および表示する方法であって、
該個人のプロファイルデータをユーザデータベースに格納するステップであって、該プロファイルデータは、該個人と関連した少なくとも１つのキーフレーズを含む、ステップと、
該キーフレーズが利用されるオブジェクトに関して、少なくとも１つの外部データベースにおいて検索するステップと、
該キーフレーズが利用される該オブジェクトを取り出すステップと、
該キーフレーズが関連付けられる個人に該取り出されたオブジェクトを関連付けるステップと
を包含する、方法。
【請求項２】
ユーザと関連した個人のグループが関心を持つ情報を該ユーザに提供する方法であって、
該グループ内の各個人のプロファイルデータをユーザデータベースに格納するステップであって、該プロファイルデータは、該グループ内の該個人の少なくとも１人と関連付けられた、少なくとも１つのキーフレーズを含む、ステップと、
該キーフレーズが利用されるオブジェクトに関して、少なくとも１つの外部データベースにおいて検索するステップと、
該キーフレーズが利用される該オブジェクトを取り出すステップと、
該キーフレーズが関連つけられた該グループ内の少なくとも１人の個人に、該取り出されたオブジェクトを関連付けるステップと、
該キーフレーズ、該キーフレーズが利用される該オブジェクトのリスト、および該キーフレーズと関連付けられた該個人のリストを該ユーザに表示するステップと
を包含する、方法。
【請求項３】
前記個人のグループの前記プロファイルデータは、プロファイルデータベースに最初に格納され、前記ユーザデータベースに該プロファイルデータを格納するステップは、該プロファイルデータベースからの該プロファイルデータを該ユーザデータベースにインポートするステップを包含する、請求項２に記載の方法。
【請求項４】
前記プロファイルデータは、各個人の電子アドレスを含み、前記方法は、前記ユーザからの前記取り出されたオブジェクトを前記キーフレーズと関連付けられた個人に電子通信するステップをさらに包含する、請求項２に記載の方法。
【請求項５】
前記ユーザは、サービスプロバイダであり、前記個人は、該ユーザの顧客であり、前記オブジェクトは、該ユーザの顧客が関心を持つニュース記事であり、該オブジェクトを電子通信するステップは、
前記キーフレーズが利用される該ニュース記事をメモリに格納するステップと、
該サービスプロバイダによって選択された顧客に該サービスプロバイダによって選択された該ニュース記事を電子通信する通信アプリケーションによって、該メモリとインターフェースするステップと
を包含する、請求項４に記載の方法。
【請求項６】
少なくとも１つの外部データベースにおいて自動的に検索するステップは、前記ユーザによって定義されたスケジュールどおりに、該外部データベースにおいて自動的に検索するステップを包含する、請求項２に記載の方法。
【請求項７】
コンピューティングデバイスのユーザに対して、該ユーザと関連した個人が関心を持つ情報を取得および表示するシステムであって、
該個人のプロファイルデータを格納する手段であって、該プロファイルデータは、該個人と関連した少なくとも１つのキーフレーズを含む、手段と、
少なくとも１つの外部データベースにおいて検索し、かつ該キーフレーズが利用されるオブジェクトを取り出す手段と、
該キーフレーズが関連付けられる該個人に、該取り出されたオブジェクトを関連付ける手段と
を備える、システム。
【請求項８】
ユーザと関連した個人のグループが関心を持つ情報を該ユーザに提供するシステムであって、
該グループ内の各個人のプロファイルデータを格納する手段であって、該プロファイルデータは、少なくとも１人の個人について、該個人と関連した少なくとも１つのキーフレーズを含む、手段と、
少なくとも１つの外部データベースにおいて検索し、かつ該キーフレーズが利用されるオブジェクトを取り出す手段と、
該キーフレーズが関連付けられる該グループ内の少なくとも１人の個人に、該取り出されたオブジェクトを関連付ける手段と、
該キーフレーズ、該キーフレーズが利用されるオブジェクトのリスト、および該キーフレーズと関連した該個人のリストを該ユーザに表示する手段と
を備える、システム。
【請求項９】
前記個人のグループの前記プロファイルデータは、最初に、プロファイルデータベースに格納され、前記システムは、該プロファイルデータベースからの該プロファイルデータを前記ユーザデータベースにインポートする手段をさらに備える、請求項８に記載のシステム。
【請求項１０】
前記プロファイルデータは、各個人の電子アドレスを含み、前記システムは、前記キーフレーズが利用される前記オブジェクトを、前記ユーザから該キーフレーズと関連した個人に電子通信する手段をさらに備える、請求項８に記載のシステム。
【請求項１１】
前記ユーザは、関係マネージャであり、前記個人は、該ユーザのクライアントであり、前記オブジェクトは、該ユーザのクライアントが関心を持つニュース記事である、請求項１０に記載のシステム。
【請求項１２】
前記オブジェクトを電子通信するコンポーネントは、
前記キーフレーズが利用される前記ニュース記事を格納する手段と、
前記関係マネージャによって選択されたクライアントに該関係マネージャによって選択された該ニュース記事を電子通信する手段と
を備える、請求項１１に記載のシステム。
【請求項１３】
前記取り出されたオブジェクトを格納する手段と、
前記ユーザによってドキュメントを生成する手段であって、格納されたオブジェクトから情報をコピーし、かつ該コピーされた情報を該ドキュメントにペーストするコンポーネントを備える、手段と、
ドキュメントを生成する手段であって、該ユーザによって選択された個人に該ユーザによって生成された該ドキュメントを電子通信する、手段と
をさらに備える、請求項８に記載のシステム。
【請求項１４】
前記検索する手段は、前記サーチエンジンに前記ユーザによって定義されたスケジュールどおりに、前記外部データベースにおいて自動的に検索させるスケジューラを備える、請求項８に記載のシステム。
【請求項１５】
コンピューティングデバイスのユーザに対して、該ユーザと関連した個人が関心を持つ情報を取得および表示するシステムであって、
該コンピューティングデバイス上で少なくとも部分的にインプリメントされるソフトウェアアプリケーションであって、
該個人のプロファイルデータを格納するように構成されるソフトウェアアプリケーションであって、該プロファイルデータは、該個人と関連した少なくとも１つのキーフレーズを含み、
少なくとも１つの外部データベースにおいて検索し、かつ、該キーフレーズが利用されるオブジェクトを取り出し、
該キーフレーズが関連付けられた該個人に該取り出されたオブジェクトを関連付けるように構成される、ソフトウェアアプリケーションを備えるシステム。
【請求項１６】
コンピューティングデバイスのユーザに、該ユーザと関連した個人のグループが関心を持つ情報を提供するシステムであって、
該コンピューティングデバイス上で少なくとも部分的にインプリメントされるソフトウェアアプリケーションであって、
該グループ内の各個人のプロファイルデータを格納するように構成されるソフトウェアアプリケーションであって、該プロファイルデータは、少なくとも１人の個人について、該個人と関連した少なくとも１つのキーフレーズを含み、
少なくとも１つの外部データベースにおいて検索し、かつ、該キーフレーズが利用されるオブジェクトを取り出し、
該キーフレーズが関連付けられる該グループ内の少なくとも１人の個人と該取り出されたオブジェクトとを関連付け、
該キーフレーズ、該キーフレーズが利用される該オブジェクトのリスト、および該キーフレーズと関連した該個人のリストを該ユーザに表示するように構成される、ソフトウェアアプリケーションを備えるシステム。
【請求項１７】
前記個人のグループの前記プロファイルデータは、最初に、プロファイルデータベースに格納され、前記ソフトウェアアプリケーションは、該プロファイルデータベースからの該プロファイルデータを前記ユーザデータベースにインポートするように構成される、請求項１６に記載のシステム。
【請求項１８】
前記プロファイルデータは、各個人の電子アドレスを含み、前記ソフトウェアアプリケーションは、前記キーフレーズが利用される前記オブジェクトを前記ユーザから該キーフレーズと関連した該個人に電子通信するようにさらに構成される、請求項１６に記載のシステム。
【請求項１９】
前記ユーザは、関係マネージャであり、前記個人は、該ユーザのクライアントであり、前記オブジェクトは、該ユーザのクライアントが関心を持つニュース記事である、請求項１８に記載のシステム。
【請求項２０】
前記ソフトウェアアプリケーションは、
前記キーフレーズが利用される前記ニュース記事を格納し、
前記関係マネージャによって選択されたニュース記事を該関係マネージャによって選択されたクライアントに電子通信するようにさらに構成される、請求項１９に記載のシステム。
【請求項２１】
前記ソフトウェアアプリケーションは、
前記取り出されたオブジェクトを格納し、
前記ユーザによってドキュメントを生成するように構成されるソフトウェアアプリケーションであって、該ドキュメントは、格納されたオブジェクトから情報をコピーし、かつ、該コピーされた情報を該ドキュメントにペーストするためのコンポーネントを備え、
該ユーザによって生成された該ドキュメントを該ユーザによって選択された個人に電子通信するドキュメントを生成するようにさらに構成される、請求項１６に記載のシステム。
【請求項２２】
前記ソフトウェアアプリケーションは、前記サーチエンジンに前記ユーザによって定義されたスケジュール通りに、前記外部データベースにおいて自動的に検索させるスケジューラを備える、請求項１６に記載のシステム。
【請求項２３】
ソフトウェアアプリケーションのユーザが、該１人以上のユーザのクライアントが関心を持ち得る情報をロケートおよび配信することを可能にする方法であって、
該ユーザおよび該ユーザのクライアントの関心を表すキーフレーズは、プロファイルデータベースに格納され、かつ、該ユーザまたは該ユーザのクライアントと関連付けられ、該方法は、
キーフレーズのリストからキーフレーズを選択する機会を該ユーザに提供するステップと、
該選択されたキーフレーズが利用されるオブジェクトの少なくとも１つのデータベースを検索するステップと、
該選択されたキーフレーズに基づいて、該検索から取り出されたオブジェクトを該ユーザのクライアントの１人以上にマッピングするステップと、
該取り出されたオブジェクトを該ユーザのクライアントの１人以上に電子通信する機会を該ユーザに提供するステップと
を包含する、方法。
【請求項２４】
前記選択されたキーフレーズ、前記取り出されたオブジェクト、ならびに、該キーフレーズおよび該オブジェクトと関連した個人のリストを表示するステップをさらに包含する、請求項２３に記載の方法。
【請求項２５】
前記取り出されたオブジェクトをメモリに格納するステップと、
該オブジェクトを前記ユーザのクライアントの１人以上に電子通信する場合、通信アプリケーションによって該メモリとインターフェースするステップと
をさらに包含する、請求項２３に記載の方法。
【請求項２６】
前記検索された少なくとも１つのデータベースは、インターネットを介してアクセスされる外部データベースである、請求項２３に記載の方法。
【請求項２７】
コンピューティングデバイスのメモリに情報オブジェクトをインポートする機会を前記ユーザに提供するステップと、
前記プロファイルデータベースに格納されたキーフレーズと一致する該インポートされたオブジェクト内に存在する１つ以上のキーフレーズを識別するステップと
をさらに包含する、請求項２３に記載の方法。
【請求項２８】
前記１つ以上の一致するキーフレーズに基づいて、前記ユーザのクライアントの１人以上に前記インポートされたオブジェクトをマッピングするステップをさらに包含する、請求項２７に記載の方法。
【請求項２９】
前記ユーザのクライアントの１人以上に前記インポートされたオブジェクトを電子通信する機会を該ユーザに提供するステップをさらに包含する、請求項２８に記載の方法。
【請求項３０】
ソフトウェアアプリケーションのユーザが、該ユーザのクライアントの１人以上が関心を持ち得る情報をインポートおよび配信することを可能にする方法であって、該ユーザおよび該ユーザのクライアントの関心を表すキーフレーズは、プロファイルデータベースに格納され、かつ、該ユーザまたは該ユーザのクライアントと関連付けられ、該方法は、
コンピューティングデバイスのメモリに情報オブジェクトをインポートする機会を該ユーザに提供するステップと、
該プロファイルデータベースに格納されたキーフレーズと一致する該インポートされたオブジェクト内に存在する１つ以上のキーフレーズを識別するステップと、
該１つ以上の一致するキーフレーズに基づいて、該ユーザのクライアントの１人以上に該インポートされたオブジェクトをマッピングするステップと、
該選択されたキーフレーズ、該取り出されたオブジェクト、ならびに、該キーフレーズおよび該オブジェクトと関連付けられた個人のリストを該ユーザに表示するステップと
を包含する、方法。
【請求項３１】
前記ユーザのクライアントの１人以上に前記インポートされたオブジェクトを電子通信する機会を該ユーザに提供するステップをさらに包含する、請求項３０に記載の方法。
【請求項３２】
前記ユーザのクライアントの１人以上に前記オブジェクトを電子通信する場合、前記メモリを通信アプリケーションによって前記メモリとインターフェースするステップをさらに包含する、請求項３１に記載の方法。
【請求項３３】
コンピューティングデバイスのユーザが、前記ユーザのクライアントの１人以上が関心を持ち得る情報をロケートおよび配信することを可能にするシステムであって、該ユーザおよび該ユーザのクライアントの関心を表すキーフレーズは、プロファイルデータベースに格納され、かつ、該ユーザまたは該ユーザのクライアントと関連付けられ、該システムは、
キーフレーズのリストから１つのキーフレーズを選択する機会を該ユーザに提供する手段と、
該選択されたキーフレーズが利用されるオブジェクトに関して、少なくとも１つのデータベースを検索する手段と、
該選択されたキーフレーズに基づいて、該ユーザのクライアントの１人以上に、該検索から取り出されたオブジェクトをマッピングする手段と、
該ユーザのクライアントの１人以上に該取り出されたオブジェクトを電子通信する機会を該ユーザに提供する手段と
を備える、システム。
【請求項３４】
前記選択されたキーフレーズ、前記取り出されたオブジェクト、ならびに、該キーフレーズおよび該オブジェクトと関連した個人のリストを前記ユーザに表示する手段をさらに包含する、請求項３３に記載のシステム。
【請求項３５】
前記取り出されたオブジェクトをメモリに格納する手段と、
前記ユーザのクライアントの１つ以上に該オブジェクトを電子通信する場合、通信アプリケーションにより該メモリとインターフェースする手段と
をさらに備える、請求項３３に記載のシステム。
【請求項３６】
前記検索された少なくとも１つのデータベースは、インターネットを介してアクセスされる外部データベースである、請求項３３に記載のシステム。
【請求項３７】
コンピューティングデバイスのメモリに情報オブジェクトをインポートする機会を前記ユーザに提供する手段と、
前記プロファイルデータベースに格納されたキーフレーズと一致する該インポートされたオブジェクト内に存在する１つ以上のキーフレーズを識別する手段と
をさらに備える、請求項３３に記載のシステム。
【請求項３８】
前記１つ以上の一致するキーフレーズに基づいて、前記ユーザのクライアントの１人以上に前記インポートされたオブジェクトをマッピングする手段をさらに備える、請求項３７に記載のシステム。
【請求項３９】
前記ユーザのクライアントの１人以上に前記インポートされたオブジェクトを電子通信する機会を該ユーザに提供する手段をさらに包含する、請求項３８に記載のシステム。
【請求項４０】
コンピューティングデバイスのユーザが、ユーザのクライアントの１人以上が関心を持ち得る情報をインポートおよび配信することを可能にするシステムであって、該ユーザおよび該ユーザのクライアントの関心を表すキーフレーズは、プロファイルデータベースに格納され、かつ、該ユーザおよび該ユーザのクライアントと関連付けられ、該システムは、
コンピューティングデバイスのメモリに情報オブジェクトをインポートする機会を該ユーザに提供する手段と、
該プロファイルデータベースに格納されたキーフレーズと一致する該インポートされたオブジェクト内に存在する１つ以上のキーフレーズを識別する手段と、
該１つ以上の一致するキーフレーズに基づいて、該ユーザのクライアントの１人以上に該インポートされたオブジェクトをマッピングする手段と、
該選択されたキーフレーズ、該取り出されたオブジェクト、ならびに、該キーフレーズおよび該オブジェクトと関連した該個人のリストを該ユーザに表示する手段と
を備える、システム。
【請求項４１】
前記ユーザのクライアントの１人以上に前記インポートされたオブジェクトを電子通信する機会を該ユーザに提供する手段をさらに備える、請求項４０に記載のシステム。
【請求項４２】
前記ユーザのクライアントの１人以上に前記オブジェクトを電子通信する場合、通信アプリケーションにより前記メモリとインターフェースする手段をさらに備える、請求項４１に記載のシステム。
【請求項４３】
コンピューティングデバイスのユーザが、該ユーザのクライアントの１人以上が関心を持ち得る情報をロケートおよび配信することを可能にするシステムであって、該ユーザおよび該ユーザのクライアントの関心を表すキーフレーズは、プロファイルデータベースに格納され、かつ、該ユーザまたは該ユーザのクライアントと関連付けられ、該システムは、
該ユーザのコンピューティングデバイス上で少なくとも部分的にインプリメントされるソフトウェアアプリケーションであって、
キーフレーズのリストから１つのキーフレーズを選択する機会を該ユーザに提供し、
該選択されたキーフレーズが利用されるオブジェクトに関して、少なくとも１つのデータベースを検索し、
該検索から取り出されたオブジェクトを該選択されたキーフレーズに基づいて該ユーザのクライアントの１人以上にマッピングし、
該ユーザのクライアントの１人以上に該取り出されたオブジェクトを電子通信する機会を該ユーザに提供するように構成される、ソフトウェアアプリケーションを備える、システム。
【請求項４４】
前記ソフトウェアアプリケーションは、
前記選択されたキーフレーズ、前記取り出されたオブジェクト、ならびに、該キーフレーズおよび該オブジェクトと関連した個人のリストを前記ユーザに表示するようにさらに構成される、請求項４３に記載のシステム。
【請求項４５】
前記ソフトウェアアプリケーションは、
前記取り出されたオブジェクトをメモリに格納し、
該ユーザのクライアントの１人以上に該オブジェクトを電子通信する場合、通信アプリケーションにより該メモリとインターフェースするようにさらに構成される、請求項４３に記載のシステム。
【請求項４６】
前記検索された少なくとも１つのデータベースは、インターネットを介してアクセスされる外部データベースである、請求項４３に記載のシステム。
【請求項４７】
前記ソフトウェアアプリケーションは、
コンピューティングデバイスのメモリに情報オブジェクトをインポートする機会をユーザに提供し、
前記プロファイルデータベースに格納されたキーフレーズと一致する該インポートされたオブジェクト内に存在する１つ以上のキーフレーズを識別するようにさらに構成される、請求項４３に記載のシステム。
【請求項４８】
前記ソフトウェアアプリケーションは、
前記１つ以上の一致するキーフレーズに基づいて、前記ユーザのクライアントの１人以上に前記インポートされたオブジェクトをマッピングするようにさらに構成される、請求項４７に記載のシステム。
【請求項４９】
前記ソフトウェアアプリケーションは、
前記ユーザのクライアントの１人以上に前記インポートされたオブジェクトを電子通信する機会を前記ユーザに提供するようにさらに構成される、請求項４８に記載のシステム。
【請求項５０】
コンピューティングデバイスのユーザが、該ユーザのクライアントの１人以上が関心を持ち得る情報をインポートおよび配信することを可能にするシステムであって、該ユーザおよび該ユーザのクライアントの関心を表すキーフレーズは、プロファイルデータベースに格納され、かつ、該ユーザまたは該ユーザのクライアントと関連付けられ、該システムは、
該ユーザのコンピューティングデバイス上で少なくとも部分的にインプリメントされるソフトウェアアプリケーションであって、
コンピューティングデバイスのメモリに情報オブジェクトをインポートする機会を該ユーザに提供し、
該プロファイルデータベースに格納されたキーフレーズと一致する該インポートされたオブジェクト内に存在する１つ以上のキーフレーズを識別し、
該１つ以上の一致するキーフレーズに基づいて、該ユーザのクライアントの１人以上に該インポートされたオブジェクトをマッピングし、
該選択されたキーフレーズ、該取り出されたオブジェクト、ならびに、該キーフレーズおよび該オブジェクトと関連した個人のリストを該ユーザに表示するように構成される、ソフトウェアアプリケーションを備えるシステム。
【請求項５１】
前記ソフトウェアアプリケーションは、
前記ユーザのクライアントの１人以上に前記インポートされたオブジェクトを電子通信する機会を該ユーザに提供するようにさらに構成される、請求項５０に記載のシステム。
【請求項５２】
前記ソフトウェアアプリケーションは、
前記ユーザのクライアントの１人以上に前記オブジェクトを電子通信する場合、通信アプリケーションにより前記メモリとインターフェースするようにさらに構成される、請求項５１に記載のシステム。
【手続補正２】
【補正対象書類名】図面
【補正対象項目名】全図
【補正方法】変更
【補正の内容】
【図１】
2005505041.tif 000001
【図２】
2005505041.tif 000002
【図３】
2005505041.tif 000003
【図４】
2005505041.tif 000004
【図５】
2005505041.tif 000005
【図６】
2005505041.tif 000006
【図７】
2005505041.tif 000007